(57)【要約】      （修正有）【課題】１本のシリンジで廃液用血液と測定用血液を採取することができ、シリンジの付け替え時の手間を減らし、また針の刺し間違えでの感染のリスクを避け、かつコストも低減化できる簡単な構造のシリンジを提供する。【解決手段】ピストン１、該ピストン１の外周に摺動可能に嵌合し第１血液採取口３を有する第１シリンダー２、および第１シリンダーの外周に摺動可能に嵌合し第２血液採取口５を有する第２シリンダー４を含む血液採取用の２重シリンダー構造のシリンジ。【選択図】図１
2016158793.tif 000002
【特許請求の範囲】
【請求項１】
ピストン、該ピストンの外周に摺動可能に嵌合し第１血液採取口を有する第１シリンダー、および第１シリンダーの外周に摺動可能に嵌合し第２血液採取口を有する第２シリンダーを含む血液採取用の２重シリンダー構造のシリンジ。
【請求項２】
ピストンと第１シリンダーとの位置関係をロックする手段を備える請求項１記載の２重シリンダー構造のシリンジ。
【発明の詳細な説明】
【技術分野】
【０００１】
本発明は、患者に接続された血液体外循環ラインから測定用に血液を採取する際に使用する血液採取用の２重シリンダー構造のシリンジに関する。
【背景技術】
【０００２】
ＩＣＵなどにおいて、血液ガス測定用に血液を採取する場合、患者に接続された動脈圧ラインや血液回路の三方活栓などの血液体外循環ラインからシリンジを使って採取することが行われている。
【０００３】
その際、たとえば動脈圧ラインからの血液採取の場合、動脈圧ライン内にあるヘパリン化生理食塩水を１本目のシリンジで抜き取ってライン内を血液で満たしたのち２本目のシリンジに付け替え、測定用の血液を採取する必要がある。
【０００４】
また、血液回路の三方活栓からの血液採取の場合、まず、１本目のシリンジを使って採取部位の三方活栓まで血液を満たした後、２本目のシリンジに付け替え、測定用の血液を採取する必要がある。
【０００５】
このように、患者に接続された血液体外循環ラインから測定用に血液を採取する際、廃液用のシリンジが必要となり、測定用のシリンジを含めて２本のシリンジを使用する必要がある。
【０００６】
こうした２本のシリンジを使用するため、まずはコストの問題、つぎにシリンジの付け替え時に手間が掛かったり、針を誤って刺すことによる感染のリスクは避けられないものである。
【０００７】
ここで、例えば特許文献１（特開平０５−３００８９９号公報）には、採血筒の内部にシリンジを有し、そのシリンジ内にプランジャーを有する二重構造の採血器具が開示されているが、採血針の基端側先端をシリンジの口部内に容易且つ正確に挿入することを目的としており、構造が複雑過ぎるという問題がある。
【先行技術文献】
【特許文献】
【０００８】
【特許文献１】特開平０５−３００８９９号公報
【発明の概要】
【発明が解決しようとする課題】
【０００９】
上記のような従来の問題点に鑑み、本発明の目的は、１本のシリンジで廃液用血液と測定用血液を採取することができ、上記のシリンジの付け替え時の手間を減らし、また針の刺し間違えでの感染のリスクを避け、かつコストも低減化できる簡単な構造のシリンジを提供することにある。
【課題を解決するための手段】
【００１０】
そこで、本発明は、ピストン、該ピストンの外周に摺動可能に嵌合し第１血液採取口を有する第１シリンダー、および第１シリンダーの外周に摺動可能に嵌合し第２血液採取口を有する第２シリンダーを含む血液採取用の２重シリンダー構造のシリンジを提供する。
【発明の効果】
【００１１】
本発明の血液採取用の２重シリンダー構造のシリンジによれば、廃液用の血液の採取をピストンと第１シリンダーとで行い、ついで、第１シリンダーを第２シリンダーのピストンとすることによって第２シリンダー内に測定用血液を採取することができるので、１本のシリンジで廃液用血液と測定用血液を採取することができ、上記のシリンジの付け替え時の手間を減らし、また針の刺し間違えでの感染のリスクを避け、かつコストも低減化できるものである。
【図面の簡単な説明】
【００１２】
【図１】本発明の代表的な実施形態に係る２重シリンダー構造のシリンジの使用後の状態の概略斜視図である。
【図２】図１に示す本発明の２重シリンダー構造のシリンジの使用前の状態の概略斜視図である。
【図３】図１に示す本発明の２重シリンダー構造のシリンジを使用して血液を採取する工程を説明する概略工程図である。
【発明を実施するための形態】
【００１３】
本発明のシリンジは２重シリンダー構造を有している。その具体的な構造の実施形態を図１および図２で説明するが、本発明はかかる実施形態のみに限定されるものではない。
【００１４】
図１は使用後、すなわち測定用の血液を採取した後のピストンおよび第１シリンダーが伸びた状態の斜視図であり、図２は使用前、すなわち血液を採取する前のピストンが収納された状態の斜視図である。
【００１５】
本発明の２重シリンダー構造のシリンジは、ピストン１、該ピストン１の外周に摺動可能に嵌合し第１血液採取口３を有する第１シリンダー２、および第１シリンダー２の外周に摺動可能に嵌合し第２血液採取口５を有する第２シリンダー４を含む血液採取用の２重シリンダー構造を有している。各シリンダー２と４にはそれぞれフランジ２ａと４ａを設けておくことが、操作時の安定性から好ましい。
【００１６】
本発明の２重シリンダー構造のシリンジにおけるピストン１と第１シリンダー２との関係は、通常のシリンジにおけるピストンとシリンダーの関係にあり、第１シリンダー２のフランジ２ａを持ってピストン１を引けば第１血液採取口３から廃液される血液や食塩水などが第１シリンダー２内に流入する。
【００１７】
第１血液採取口３には、図示していないが、逆流防止弁が設けられているが好ましい。逆流防止弁が設けられていなくても、開口が微小であれば表面張力や第１シリンダー２内の負圧状態により、第１シリンダー２に一旦注入された血液は逆流して漏れることがない。たとえ血液が逆流しても、第２シリンダー４の血液と混じるのは微小量であり、本願発明の目的とするその後の測定には影響がない。
【００１８】
第１シリンダー２と第２シリンダー４との関係も、ピストンとシリンダーの関係にあり、第２シリンダー４のフランジ４ａを持って第１シリンダー２（フランジ２ａ）を引けば第２血液採取口５から測定用の血液が第２シリンダー４内に流入する。採血用に注射針（図示されていない）は第２シリンダー４の第２血液採取口５に装着される。
【００１９】
なお、第２シリンダー４のフランジ４ａを持って第１シリンダー２（フランジ２ａ）を引くとき、誤ってピストン１を押してしまうと第１シリンダー２内に取り込んだ廃液用の血液等が第２シリンダー４内に逆流してしまうことがあるので、それを避けるために、ピストン１と第１シリンダー２との位置関係をロックする手段を備えることが望ましい。ロックされることにより、第１シリンダー２を引いて第２シリンダー４内が負圧になったときでも、第１シリンダー２内の血液が第２シリンダー４内に逆流することが少なくなる。
【００２０】
ロック手段としては、種々の従来公知の方法を採用することができる。図示していないが、たとえば第１シリンダー２の内周面に、長さ方向に延びる線状凹部を設け、ピストン１の長さ方向に略垂直な方向における最外部に凸部を設ける。そして、第１シリンダー２の内周面の線状凹部の先端側部分及び後端側部分に、周方向に向く凹状係合部を設ける。
【００２１】
これにより、凸部が凹部に嵌め合わされてピストン１を第１シリンダー２の内部において長さ方向に摺動させることができるとともに、ピストン１を第１シリンダー２の最も奥に入れた状態及びピストン１を第１シリンダー２の後端側に引っ張った状態において、ピストン１と第１シリンダー２とを互いに回転させて凸部を凹状係合部させ、ピストン１と第１シリンダー２との長さ方向における動きを停止させることができる。
【００２２】
これと同じ方法で、第１シリンダー２と第２シリンダー４との間にもロック機構を設けてもよい。
【００２３】
図１〜２におけるロック手段は、たとえば第１シリンダー２のフランジ２ａを図２の位置（初期状態）から９０度回転させることにより（図１）、ピストン１と第１シリンダー２との位置関係がロックされる。
【００２４】
つぎに、図２と図３により、本発明の２重シリンダー構造のシリンジを使用して血液を採取する工程を説明する。
【００２５】
最初の状態は図２に示すように、第２シリンダー４に第１シリンダーが挿入され、第１シリンダー２内にピストン１が挿入された状態である。
【００２６】
血液採取の第１工程は、第２シリンダー４の第２血液採取口５に装着された針（図示されていない）を動脈圧ラインや血液回路の三方活栓に刺し込み、図３ａに示すように、第１シリンダー２と第２シリンダー４とを固定したままピストン１を引くと、第１シリンダー２内に廃棄用の血液等６が流入する。
【００２７】
つぎに、第１シリンダー２のフランジ２ａを持って第１シリンダー２を９０度回転させてピストン１と第１シリンダー２の位置関係をロックする（図３ｂ）。この状態で第１シリンダー２（またはピストン１）を引くと、第２シリンダー４内に測定用の血液７が流入する（図３ｃ）。その後、第２シリンダー４内の測定用血液７を取り出し測定に回す。
【００２８】
以上のとおり、本発明の２重シリンダー構造のシリンジによれば、ライン等に針を刺す回数は１回で済むので針の刺し違いでの感染のリスクを低減でき、かつシリンジの交換の手間も省くことができる。しかも、第１シリンダーをピストンとして兼用することができるので、コスト面でも低減化が可能となる。
【符号の説明】
【００２９】
１  ピストン
２  第１シリンダー
３  第１血液採取口
４  第２シリンダー
５  第２血液採取口
６  廃液用血液等
７  測定用血液
【図１】
2016158793.tif 000003
【図２】
2016158793.tif 000004
【図３】
2016158793.tif 000005